(57)【要約】【課題】泳動粒子の意図しない移動による解像度の低下を防止することができる画像表示装置、画像表示制御装置、及び画像表示プログラムを提供することを目的とする。【解決手段】泳動粒子１１を移動させる第１画素と、泳動粒子１１を移動させない第２画素とが隣接する場合に、第２画素の泳動粒子１１の基板への付着力が第１画素の泳動粒子１１の基板への付着力より大きくなるように一対の基板へ電圧を印加する。その後、第１画素の泳動粒子１１の移動を行う閾値電圧を印加する。【選択図】図３
2015161812.tif 000002
【特許請求の範囲】
【請求項１】
一対の基板と、
前記一対の基板間に封入され電圧印加により前記基板から離脱を始める閾値電圧を有する粒子を含む複数の画素と、
前記粒子を移動させる第１画素と、前記粒子を移動させない第２画素とが隣接する場合、前記閾値電圧以上の電圧を印加する前に、前記第２画素の前記粒子の基板への付着力が前記第１画素の前記付着力より大きくなるように前記一対の基板へ電圧を印加する印加部と、
を備えた画像表示装置。
【請求項２】
前記印加部は、前記第１画素の前記粒子の前記付着力が減少、または前記第２画素の前記粒子の前記付着力が増加するように前記一対の基板へ電圧を印加する請求項１に記載の画像表示装置。
【請求項３】
前記印加部は、前記粒子を一対の基板の一方へ移動させる予め定めたリセット電圧を基板間に印加するリセット時に、前記第２画素の前記付着力が前記第１画素の前記付着力より大きくなるように前記一対の基板へ前記リセット電圧を印加する請求項１又は請求項２に記載の画像表示装置。
【請求項４】
前記印加部は、前記第２画素の前記付着力が前記第１画素の前記付着力より大きくなるように前記一対の基板へ電圧を印加してから、画像情報が表す階調に応じた電圧を更に印加する請求項１〜３の何れか１項に記載の画像表示装置。
【請求項５】
前記印加部は、前記第２画素の前記付着力が前記第１画素の前記付着力より大きくなるように前記一対の基板へ前記閾値電圧より小さい電圧を印加する請求項１〜４の何れか１項に記載の画像表示装置。
【請求項６】
前記第２画素は、前記第１画素の前記粒子を移動させる方向とは逆方向の基板に前記粒子が付着した画素である請求項１〜５の何れか１項に記載の画像表示装置。
【請求項７】
一対の基板間に封入され電圧印加により前記基板から離脱を始める閾値電圧を有する粒子を含む複数の画素のうち前記粒子を移動させる第１画素と、前記粒子を移動させない第２画素とが隣接する場合、前記閾値電圧以上の電圧を印加する前に、前記第２画素の前記粒子の基板への付着力が前記第１画素の前記付着力より大きくなるように前記基板間に印加する電圧を制御する画像表示制御装置
【請求項８】
コンピュータを、請求項１〜６の何れか１項に記載の画像表示装置の前記印加部として機能させるための画像表示プログラム。
【発明の詳細な説明】
【技術分野】
【０００１】
本発明は、画像表示装置、画像表示制御装置、及び画像表示プログラムに関する。
【背景技術】
【０００２】
画像に応じた電圧を一対の基板間に印加することにより基板間に封入された粒子を移動させて、粒子の色をコントラストとして画像表示させる画像表示装置が知られている。
【０００３】
このような画像表示装置では、粒子の意図しない移動を防止する各種技術が提案されている。例えば、特許文献１に記載の技術では、保持容量の一端と画素電極との間に、遮断用ＴＦＴが設けられている。すなわち、遮断用ＴＦＴをオフすることにより、保持容量と画素電極との間が電気的に遮断される。よって、遮断用ＴＦＴをオフした状態では、対向電極電位を変更したとしても画素電極電位が保持容量の影響を受けて変位することはない。画素電極と対向電極との間に電位差が生じないため、粒子は移動せず画像の劣化が防止される。
【先行技術文献】
【特許文献】
【０００４】
【特許文献１】特開２０１０−１１７５５０号公報
【発明の概要】
【発明が解決しようとする課題】
【０００５】
本発明は、泳動粒子の意図しない移動による解像度の低下を防止することができる画像表示装置、画像表示制御装置、及び画像表示プログラムを提供することを目的とする。
【課題を解決するための手段】
【０００６】
請求項１に記載の画像表示媒体の画像表示装置は、一対の基板と、前記一対の基板間に封入され電圧印加により前記基板から離脱を始める閾値電圧を有する粒子を含む複数の画素と、前記粒子を移動させる第１画素と、前記粒子を移動させない第２画素とが隣接する場合、前記閾値電圧以上の電圧を印加する前に、前記第２画素の前記粒子の基板への付着力が前記第１画素の前記付着力より大きくなるように前記一対の基板へ電圧を印加する印加部と、を備えている。
【０００７】
請求項２に記載の発明は、請求項１に記載の発明において、前記印加部は、前記第１画素の前記粒子の前記付着力が減少、または前記第２画素の前記粒子の前記付着力が増加するように前記一対の基板へ電圧を印加する。
【０００８】
請求項３に記載の発明は、請求項１又は請求項２に記載の発明において、前記印加部は、前記粒子を一対の基板の一方へ移動させる予め定めたリセット電圧を基板間に印加するリセット時に、前記第２画素の前記付着力が前記第１画素の前記付着力より大きくなるように前記一対の基板へ前記リセット電圧を印加する。
【０００９】
請求項４に記載の発明は、請求項１〜３の何れか１項に記載の発明において、前記印加部は、前記第２画素の前記付着力が前記第１画素の前記付着力より大きくなるように前記一対の基板へ電圧を印加してから、画像情報が表す階調に応じた電圧を更に印加する。
【００１０】
請求項５に記載の発明は、請求項１〜４の何れか１項に記載の発明において、前記印加部は、前記第２画素の前記付着力が前記第１画素の前記付着力より大きくなるように前記一対の基板へ前記閾値電圧より小さい電圧を印加する。
【００１１】
請求項６に記載の発明は、請求項１〜５の何れか１項に記載の発明において、前記第２画素は、前記第１画素の前記粒子を移動させる方向とは逆方向の基板に前記粒子が付着した画素である。
【００１２】
請求項７に記載の画像表示制御装置は一対の基板間に封入され電圧印加により前記基板から離脱を始める閾値電圧を有する粒子を含む複数の画素のうち前記粒子を移動させる第１画素と、前記粒子を移動させない第２画素とが隣接する場合、前記閾値電圧以上の電圧を印加する前に、前記第２画素の前記粒子の基板への付着力が前記第１画素の前記付着力より大きくなるように前記基板間に印加する電圧を制御する。
【００１３】
請求項８に記載の画像表示プログラムは、コンピュータを、請求項１〜６の何れか１項に記載の画像表示装置の前記印加部として機能させる。
【発明の効果】
【００１４】
請求項１に記載の発明によれば、印加部による電圧の印加を行わない場合と比較して、泳動粒子の意図しない移動による解像度の低下を防止することができる画像表示装置を提供することができる、という効果がある。
【００１５】
請求項２に記載の発明によれば、泳動粒子を移動させない画素の泳動粒子の基板への付着力より泳動粒子を移動させる画素の泳動粒子の基板への付着力を大きくすることができる、という効果がある。
【００１６】
請求項３に記載の発明によれば、リセット時に印加部による電圧を印加しない場合と比較して、泳動粒子を移動させるまでの時間を短縮することができる、という効果がある。
【００１７】
請求項４に記載の発明によれば、本構成を採用しない場合と比較して、階調表示する場合の解像度の低下を防止することができる、という効果がある。
【００１８】
請求項５に記載の発明によれば、粒子を移動させない画素の基板への付着力を高めることができる、という効果がある。
【００１９】
請求項６に記載の発明によれば、不要な電圧印加を防止することができる、という効果がある。
【００２０】
請求項７に記載の発明によれば、印加部による電圧の印加を行わない場合と比較して、泳動粒子の意図しない移動による解像度の低下を防止することができる画像表示制御装置を提供することができる、という効果がある。
【００２１】
請求項８に記載の発明によれば、印加部による電圧の印加を行わない場合と比較して、泳動粒子の意図しない移動による解像度の低下を防止することができる画像表示プログラムを提供することができる、という効果がある。
【図面の簡単な説明】
【００２２】
【図１】（Ａ）は本実施形態に係わる画像表示装置の概略を示す概略図であり、（Ｂ）は本実施の形態に係る画像表示装置の制御部の構成を示すブロック図である。
【図２】（Ａ）は泳動粒子を移動させる画素と泳動粒子を移動させない画素が隣接した例を示す図であり、（Ｂ）は（Ａ）の場合に解像度が低下する要因を説明するための図である。
【図３】本実施の形態に係る画像表示装置の泳動粒子を移動させる電圧の印加方法と従来の電圧の印加方法とを説明するための図である。
【図４】本実施の形態に係る画像表示装置において、リセット時に表示基板側に泳動粒子を移動させる場合の電圧の印加方法を説明するための図である。
【図５】本実施の形態に係る画像表示装置において初期状態が中間調表示の場合の電圧の印加方法を説明するための図である。
【図６】本実施の形態に係る画層表示装置において、泳動粒子を移動させる画素と、泳動粒子を移動させない画素とが隣接する場合であっても従来通りの制御を行う例を説明するための図である。
【図７】本実施の形態に係る画像表示装置の制御部で行われる処理の流れの一例を示すフローチャートである。
【図８】異なる閾値特性及び異なる色の２種類の泳動粒子を基板間に封入して隣接画素（泳動粒子を移動させない画素）が中間調を表示している場合の電圧の印加方法を説明するための図である。
【発明を実施するための形態】
【００２３】
以下、本実施形態について図面を参照しつつ説明する。作用や機能が同じ働きを担う部材には、全図面を通して同じ符合を付与し、重複する説明を省略する場合がある。また、説明を簡易化するために、適宜１つのセルに注目した図を用いて本実施形態を説明する。
【００２４】
図１（Ａ）は、本実施形態に係わる画像表示装置を概略的に示している。この画像表示装置５０は、画像表示媒体１０と、画像表示媒体１０を駆動する駆動装置２０と、を備えている。駆動装置２０は、画像表示媒体１０の表示側電極３、背面側電極４間に電圧を印加する電圧印加部３０と、画像表示媒体１０に表示させる画像の画像情報に応じて電圧印加部３０を制御する制御部４０と、を含んで構成されている。
【００２５】
画像表示媒体１０は、画像表示面とされる、透光性を有する表示基板１と、非表示面とされる背面基板２と、が間隙を持って対向して配置される一対の基板を有する。
【００２６】
これらの基板１、２間を予め定められた間隔に保持すると共に、該基板間を複数のセルに区画する間隙部材５が設けられている。
【００２７】
上記セルとは、背面側電極４が設けられた背面基板２と、表示側電極３が設けられた表示基板１と、間隙部材５と、によって囲まれた領域を示している。なお、１つのセルは複数の画素を含む。また、本実施の形態では、間隙部材５を有する例を説明するが、基板間を間隙を保持できる構成であれば間隙部材５を省略した構成としてもよい。
【００２８】
セル中には、例えば絶縁性液体で構成された分散媒６と、分散媒６中に分散された泳動粒子１１が粒子群として封入されている。泳動粒子１１は、予め定めた色に着色されると共に、帯電特性を有しており、一対の電極（表示側電極３、背面側電極４）間に印加する電圧を制御することにより、泳動粒子１１が基板間を泳動する。また、泳動粒子１１は、基板から離脱を始める閾値電圧を有し、基板間に閾値電圧が印加された場合に、極性に応じて基板から剥離して泳動する。より具体的には、電圧を印加して発生させた電界によって、粒子が基板を離脱する向きの力が付着力の大きさ以上になると粒子が基板を離脱して他方の基板に向かう。この、電界によって発生する力が付着力と釣り合って粒子が移動し始める電圧を閾値電圧という。本実施の形態において、泳動粒子１１を移動させ、画像を表示させた後に電圧の印加を停止した後も、ファンデルワールス力や鏡像力、静電引力等によって粒子は基板に付着したままとなり、画像表示は維持される。粒子の付着力を制御するには、これらの鏡像力や静電引力、ファンデルワールス力等を調整すればよい。その手段としては、例えば粒子の帯電量、粒径、電荷密度、誘電率、表面形状、表面エネルギー、分散剤の組成や密度等をそれぞれ適切に調整することが挙げられる。
【００２９】
泳動粒子１１は、本実施の形態では、１種類の予め定めた色に着色された泳動粒子群を封入した例を説明するが、複数種類の粒子群を基板間に封入するようにしてもよい。複数種類の泳動粒子群を基板間に封入する場合には、それぞれ色及び帯電特性が異なる泳動粒子群を封入するようにしてもよい。或いは、帯電特性を有さず浮遊する浮遊粒子群（例えば、泳動粒子１１より帯電量が少なく泳動粒子１１が電極側まで移動する電圧が電極間に印加されても何れの電極側まで移動しない粒子群）を含むようにしてもよい。浮遊粒子群としては白色に着色された白色粒子群を適用して白色表示するようにしてもよい。或いは、分散媒に着色剤を混合することで、泳動粒子の色とは異なる色（例えば、白色）を表示させる構成としてもよい。
【００３０】
駆動装置２０（電圧印加部３０及び制御部４０）は、画像表示媒体１０の表示側電極３、背面側電極４間に印加する電圧を表示させる色に応じて制御することにより、泳動粒子１１を泳動させ、それぞれの帯電極性に応じて表示基板１、背面基板２の何れか一方に引き付ける。
【００３１】
電圧印加部３０は、表示側電極３及び背面側電極４にそれぞれ電気的に接続されている。また、電圧印加部３０は、制御部４０に信号授受されるように接続されている。
【００３２】
図１（Ｂ）は、本実施の形態に係る画像表示装置５０の制御部４０の構成を示すブロック図である。
【００３３】
制御部４０は、図１（Ｂ）に示すように、例えばコンピュータ４０として構成される。コンピュータ４０は、ＣＰＵ（Central Processing Unit）４０Ａ、ＲＯＭ（Read Only Memory）４０Ｂ、ＲＡＭ（Random Access Memory）４０Ｃ、不揮発性メモリ４０Ｄ、及び入出力インターフェース（Ｉ／Ｏ）４０Ｅがバス４０Ｆを介して各々接続されている。Ｉ／Ｏ４０Ｅには電圧印加部３０が接続されている。この場合、各色の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００３４】
電圧印加部３０は、表示側電極３及び背面側電極４に電圧を印加するための電圧印加装置であり、制御部４０の制御に応じた電圧を表示側電極３及び背面側電極４に印加する。電圧印加部３０は、アクティブマトリクス方式を適用してもよいし、パッシブマトリクス方式を適用するようにしてもよい。或いは、セグメント方式を適用するようにしてもよい。
【００３５】
ところで、本実施の形態に係る画像表示装置５０では、図２（Ａ）に示す状態のように、泳動粒子１１を移動させる画素と、移動させない画素とが隣接する場合に、解像度が低下する可能性がある。
【００３６】
例えば、図２（Ｂ）に示すように、泳動粒子１１を移動させる際に、隣接画素に付着した泳動粒子１１が泳動粒子１１の移動で発生する液流に引きずられて移動してしまう。或いは、隣接画素の電界の影響を受けて、泳動粒子１１を移動させない画素に付着した泳動粒子１１が移動してしまう。隣接画素の影響により泳動粒子１１が移動してしまうと、意図しない泳動粒子１１の移動により解像度が低下してしまう。
【００３７】
そこで、本実施の形態では、泳動粒子１１を移動させる第１画素と、泳動粒子１１を移動させない第２画素とが隣接する場合に、第２画素の泳動粒子１１の基板への付着力が第１画素の泳動粒子１１の基板への付着力より大きくなるように一対の基板へ電圧を印加する。その後、第１画素の泳動粒子１１の移動を行う閾値電圧を印加するようになっている。
【００３８】
具体的には、背面側電極４に泳動粒子１１を移動させる閾値電圧を各画素の電極間に印加して、図３（Ａ）に示すように、背面基板２側に泳動粒子１１を移動させる（リセット）。なお、リセット時には、各画素の泳動粒子１１を移動させる方向は、例えば、表示すべき画像を表す画像情報に基づいて画素毎に決定するようにしてもよいし、全ての画素について予め定めた基板側へ移動させるようにしてもよい。
【００３９】
リセットを行ってから従来は、泳動粒子１１を移動させる画素の電極間に表示基板１側に移動させる閾値電圧以上の電圧を印加して、図３（Ｃ）に示すように、泳動粒子１１を移動させる。これに対して、本実施の形態では、図３（Ｂ）に示すように、泳動粒子１１を移動させない画素については泳動粒子１１が背面基板２側に付着する電圧を印加することによって、隣接画素間の粒子の付着力に差を発生させる。そして、隣接画素間で泳動粒子１１の付着力に差を持たせてから、泳動粒子１１を表示基板１側に移動させる画素の電極間に閾値電圧以上の電圧を印加して、図３（Ｃ）に示すように、泳動粒子１１を移動させる。これにより、泳動粒子１１を表示基板１側に移動させる画素に閾値電圧を印加しても隣接画素への影響が抑制される。
【００４０】
また、図３では、リセット時に泳動粒子１１を背面基板２側に移動させる場合を示すが、リセットとして泳動粒子１１を表示基板１側に移動させるようにしてもよい。
【００４１】
この場合には、図４（Ａ）に示すように、泳動粒子１１を表示基板１へ移動させる閾値電圧を各画素の電極間に印加することにより泳動粒子１１を表示基板１へ移動させる（リセット）。
【００４２】
次に、泳動粒子１１を移動させない画素について、図４（Ｂ）の矢印で示すように、泳動粒子１１が表示基板１側に押しつけて付着する電圧を印加することによって、隣接画素間の粒子の付着力に差を発生させる。
【００４３】
そして、隣接画素間で泳動粒子１１の付着力に差を持たせてから、図４（Ｃ）に示すように、泳動粒子１１を背面基板２側へ移動させる画素の電極間に閾値電圧を印加する。これにより、泳動粒子１１を背面基板２側に移動させる画素に閾値電圧を印加しても隣接画素への影響が抑制される。
【００４４】
また、初期状態が中間調表示の場合についても同様に、隣接画素間で付着力の差を発生させてから泳動粒子１１を移動させる閾値電圧を印加すればよい。図５は、本実施の形態に係る画像表示装置５０において初期状態が中間調表示の場合の電圧の印加方法を説明するための図である。なお、図５（Ａ、上段）は、隣接画素のうち一方の画素の泳動粒子１１を表示基板１側へ移動させる場合を示し、図５（Ｂ、下段）は、隣接画素のうち一方の画素の泳動粒子１１を背面基板２側へ移動させる場合を示す。
【００４５】
例えば、図５（Ａ、上段）の（ａ）及び（Ｂ、下段）の（ｄ）に示すように、初期状態として、一方の画素が中間調の表示の場合に、図５（Ａ、上段）の（ｂ）及び（Ｂ、下段）の（ｅ）に示すように、泳動粒子１１を移動させない画素について基板に泳動粒子１１を押しつけて付着させる電圧（基本的には閾値電圧より小さく階調が変化しない程度の電圧であるが、閾値電圧以上であっても泳動粒子の移動による階調の変化が目視できない程度の電圧も含む。）を印加してから、図５（ｃ）、（ｆ）に示すように、泳動粒子１１を移動させる画素の電極間に閾値電圧以上の電圧を印加して泳動粒子１１を移動させる。このとき、泳動粒子１１を移動させない画素に電圧を印加する際には、泳動粒子１１を移動させる画素の移動方向とは逆の方向に電圧を印加して、基板への付着力を高めることにより、泳動粒子１１を移動させる画素に閾値電圧を印加したときに隣接画素への影響が抑制される。
【００４６】
なお、泳動粒子１１を移動させる画素と、泳動粒子１１を移動させない画素とが隣接する場合であっても、図６に示すような場合は、隣接画素の泳動粒子１１の基板への付着力に差を持たせることなく、従来通りの制御を行うようにしてもよい。すなわち、泳動粒子を移動させない画素の泳動粒子１１が付着した基板方向に、泳動粒子１１を移動させる画素の泳動粒子１１を移動させる場合には、同方向の基板に泳動粒子１１を付着させるので、隣接画素の泳動粒子１１の基板への付着力に差を持たせることなく、従来通りの制御を行う。換言すれば、泳動粒子１１を移動させない画素が、移動粒子を移動させる画素の泳動粒子１１を移動させる方向とは逆方向の基板に泳動粒子１１が付着している場合には、従来通りの制御を行う。なお、図６（Ａ）、（Ｂ）は、泳動粒子１１を移動させない画素が表示基板１側に付着している状態で、泳動粒子１１を移動させる画素を背面基板２側から表示基板１側へ移動させる場合を示す。また、図６（Ｃ）、（Ｄ）は、泳動粒子１１を移動させない画素が背面基板２側に付着している状態で、泳動粒子１１を移動させる画素を表示基板１側から背面基板２側へ移動させる場合を示す。
【００４７】
続いて、本実施の形態に係る画像表示装置５０の制御部４０で行われる処理の一例について説明する。図７は、本実施の形態に係る画像表示装置５０の制御部で行われる処理の流れの一例を示すフローチャートである。なお、図７の処理は、特徴的な部分を説明するために簡略化したものである。
【００４８】
画像表示装置５０へ表示する場合には、まず、ステップ１００において、表示すべき画像を表す画像情報が制御部４０によって取得されてステップ１０２へ移行する。なお、画像情報は全てを取得するようにしてもよいし、順次取得するようにしてもよい。
【００４９】
ステップ１０２では、画像表示装置５０のリセットが制御部４０によって行われてステップ１０４へ移行する。リセットは、制御部４０が電圧印加部３０を制御して、一方の基板側（表示基板１又は背面基板２）へ各画素の泳動粒子１１が移動するように電極間に閾値電圧を印加する。なお、何れの基板に移動するかは、画像情報に基づいて決定するようにしてもよいし、予め定めた基板としてもよい。
【００５０】
ステップ１０４では、泳動粒子１１を移動させる画素と、泳動粒子１１を移動させない画素とが隣接するか否か制御部４０によって判定され、該判定が肯定された場合にはステップ１０６へ移行し、否定された場合にはステップ１０８へ移行する。
【００５１】
ステップ１０６では、泳動粒子１１を移動させない画素の電極に電圧を印加するように制御部４０によって電圧印加部３０が制御されてステップ１０８へ移行する。詳細には、制御部４０は、電圧印加部３０を制御して、泳動粒子１１を移動させない画素の基板へ付着した泳動粒子１１が基板へ付着する極性の閾値電圧より小さい電圧を、泳動粒子１１を移動させない画素の電極間に印加する。これにより、泳動粒子１１を移動させる画素の基板に付着した泳動粒子より泳動粒子１１を移動させない画素の基板に付着した泳動粒子１１の基板への付着力が大きくなる。
【００５２】
ステップ１０８では、画像情報に応じた閾値電圧を、泳動粒子１１を移動させる画素の電極間に印加するように制御部４０によって電圧印加部３０が制御されて一連の処理を終了する。
【００５３】
このように制御部４０が電圧印加部３０を制御することにより、泳動粒子１１を移動させる画素と、泳動粒子１１を移動させない画素とが隣接しても、隣接画素間で泳動粒子１１の基板への付着力に差を持たせ、かつ泳動粒子１１を移動させない画素の基板への付着力を大きくすることにより、泳動粒子１１を移動させる画素の電極に電圧を印加して泳動粒子１１を移動させても、隣接する画素（泳動粒子１１を移動させない画素）への影響が抑制される。
【００５４】
なお、上記の実施の形態では、基板間に１種類の泳動粒子１１を封入した例を説明したが、これに限るものではない。例えば、２種類以上の複数種類の泳動粒子を封入する場合に適用するようにしてもよい。一例として以下では、２種類の泳動粒子を封入した例を説明する。
【００５５】
図８は、異なる閾値特性及び異なる色の２種類の泳動粒子１１Ａ、１１Ｂを基板間に封入して隣接画素（泳動粒子１１Ａ、１１Ｂを移動させない画素）が中間調を表示している場合の電圧の印加方法を説明するための図である。
【００５６】
図８（Ａ、上段）の例における泳動粒子１１Ａ、１１Ｂを移動させない画素では、図８（ａ）に示すように、一方の泳動粒子１１Ａが全て背面基板２側に付着し、他方の泳動粒子１１Ｂの一部が表示基板１側に付着して残りが背面基板２側に付着している。この場合も上記の実施の形態と同様に、図８（ｂ）に示すように、泳動粒子１１Ａ、１１Ｂを移動させない画素の基板へ付着した泳動粒子１１Ａ、１１Ｂが基板へ付着する極性の閾値電圧より小さい電圧を、泳動粒子１１Ａ、１１Ｂを移動させない画素の電極間に印加する。その後、図８（ｃ）に示すように、泳動粒子１１Ａ、１１Ｂを移動させる画素に閾値電圧を印加して泳動粒子１１Ａ、１１Ｂを表示基板１側へ移動させる。これにより、泳動粒子１１Ａ、１１Ｂを移動させる画素の隣接画素の背面基板２側に付着した泳動粒子１１Ａ、１１Ｂの付着力を大きくしてから泳動粒子１１Ａ、１１Ｂを移動させる画素に閾値電圧を印加するので、隣接画素の泳動粒子１１Ａ、１Ｂの移動が抑制される。
【００５７】
また、図８（Ｂ、下段）の例における泳動粒子１１Ａ、１１Ｂを移動させない画素では、図８（ｄ）に示すように、一方の泳動粒子１１Ａが全て表示基板１側に付着し、他方の泳動粒子１１Ｂの一部が表示基板１側に付着して残りが背面基板２側に付着している。この場合も上記と同様に、図８（ｅ）に示すように、泳動粒子１１Ａ、１１Ｂを移動させる画素の泳動粒子１１Ａ、１１Ｂを移動させる方向とは逆極性の閾値電圧より小さい電圧を基板間に印加する。その後、図８（ｆ）に示すように、泳動粒子１１Ａ、１１Ｂを移動させる画素に閾値電圧を印加して泳動粒子１１Ａ、１１Ｂを背面基板２側へ移動させる。これにより、泳動粒子１１Ａ、１１Ｂを移動させる画素の隣接画素の表示基板１側に付着した泳動粒子１１Ａ、１１Ｂの付着力を大きくしてから泳動粒子１１Ａ、１１Ｂを移動させる画素に閾値電圧を印加するので、隣接画素の泳動粒子１１Ａ、１１Ｂの移動が抑制される。
【００５８】
また、上記の実施の形態では、泳動粒子１１を移動させない画素の方の基板への付着力が増加するように、泳動粒子１１を移動させない画素の電極に電圧を印加するようにしたが、これに限るものではない。例えば、泳動粒子１１を移動させる画素の方の基板への付着力が減少するように、泳動粒子１１を移動させる画素の電極に電圧を印加してから、泳動粒子１１を移動させる画素の電極に閾値電圧を印加して泳動粒子１１を移動させるようにしてもよい。或いは、リセット時に、泳動粒子１１を移動させない画素の方が泳動粒子１１を移動させる画素よりも基板への付着力が大きくなるようにリセット電圧を印加するようにしてもよい。
【００５９】
なお、上記の実施形態における制御部４０が行う処理は、ハードウエアによって実現するようにしてもよいし、ソフトウエアのプログラムを実行することによって実現するようにしてもよい。また、当該プログラムは、各種記憶媒体に記憶して流通するようにしてもよい。
【符号の説明】
【００６０】
１    表示基板
２    背面基板
３    表示側電極
４    背面側電極
１０    画像表示装置
１１、１１Ａ、１１Ｂ    泳動粒子
２０    駆動装置
３０    電圧印加部
４０    制御部
５０    画像表示装置
【図１】
2015161812.tif 000003
【図２】
2015161812.tif 000004
【図３】
2015161812.tif 000005
【図４】
2015161812.tif 000006
【図５】
2015161812.tif 000007
【図６】
2015161812.tif 000008
【図７】
2015161812.tif 000009
【図８】
2015161812.tif 000010